【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
下記の工程（Ａ）及び（Ｂ）を含む、付着物−剥離塗膜系を形成させるための支持体の被覆方法：
（Ａ）（i）顔料及びフィラー０〜６０湿量％及び（ii）残余量のバインダー相であって、１種若しくは複数種のアミノ官能性化合物１〜９０湿量％、１種若しくは複数種のエポキシ官能性化合物１〜９０湿量％及び１種若しくは複数種の定着剤０〜２０湿量％を含有するバインダー相 [この場合、該バインダー相は、次のポリシロキサン化合物ａ）〜ｃ）から成る群から選択される少なくとも２つのタイプのポリシロキサン化合物を含有する：ａ）アミノ官能性ポリシロキサン、ｂ）エポキシ官能性ポリシロキサン及びｃ）ヒドロキシ官能性ポリシロキサン、ヒドロキシアルキル官能性ポリシロキサン及びＣ１〜４−アルコキシ官能性ポリシロキサンから成る群から選択される定着剤] を含有する塗料組成物を該支持体の表面の少なくとも一部に塗布することによって該支持体上にタイコートを形成させ、
（Ｂ）得られたタイコート上へ第２の塗料組成物を塗布することによって、該支持体上に付着物−剥離塗膜を形成させる。
【請求項２】
アミノ官能性化合物の水素当量とエポキシ官能性化合物のエポキシ当量の比が２０：１００〜２００：１００である請求項１記載の方法。
【請求項３】
エポキシ官能性化合物が実質的に１種若しくは複数種のエポキシ官能性ケイ素化合物から成り、アミノ官能性化合物が実質的に１種若しくは複数種のアミノ官能性ケイ素化合物から成る請求項１又は２記載の方法。
【請求項４】
バインダー相が、ポリシロキサンに基づく成分を２６〜９０湿量％含有する請求項３記載の方法：
【請求項５】
エポキシ官能性化合物が１種若しくは複数種のエポキシ官能性ケイ素不含化合物を含有し、アミノ官能性化合物が１種若しくは複数種のアミノ官能性ケイ素不含化合物を含有する請求項１又は２記載の方法。
【請求項６】
バインダー相がポリシロキサン型成分及びシラン型成分を２〜５０湿量％含有する請求項５記載の方法。
【請求項７】
塗料組成物のバインダー相が１種若しくは複数種の定着剤を含有する請求項１〜６いずれかに記載の方法。
【請求項８】
バインダー相が定着剤を０．１〜１５湿量％含有する請求項７記載の方法。
【請求項９】
第２のポリシロキサンに基づく付着物−剥離塗料組成物を該タイコート上に塗布することによって、該支持体上にポリシロキサンに基づく付着物−剥離塗膜を形成させる工程をさらに含む請求項１〜８いずれかに記載の方法。
【請求項１０】
バインダー相がアミノ官能性ポリシロキサン及びエポキシ官能性ポリシロキサンを含有する請求項１〜４及び７〜９いずれかに記載の方法。
【請求項１１】
塗料組成物のバインダー相がアミノ官能性ポリシロキサン、エポキシ官能性ポリシロキサン及び定着剤を含有する請求項１０記載の方法。
【請求項１２】
塗料組成物のバインダー相がアミノ官能性ポリシロキサン及びエポキシ官能性ポリシロキサンと共に、１種若しくは複数種のエポキシ官能性ケイ素不含化合物及び１種若しくは複数種のアミノ官能性ケイ素不含化合物を併含する請求項１，２及び５〜９いずれかに記載の方法。
【請求項１３】
塗料組成物のバインダー相がアミノ官能性ポリシロキサン、エポキシ官能性ポリシロキサン及び定着剤と共に、１種若しくは複数種のエポキシ官能性ケイ素不含化合物及び１種若しくは複数種のアミノ官能性ケイ素不含化合物を併含する請求項１２記載の方法。
【請求項１４】
塗料組成物のバインダー相がアミノ官能性ポリシロキサン、エポキシ官能性シラン及び定着剤を含有する請求項１〜４及び７〜９いずれかに記載の方法。
【請求項１５】
塗料組成物のバインダー相が１種若しくは複数種のエポキシ官能性ケイ素不含化合物及び１種若しくは複数種のアミノ官能性ケイ素不含化合物をさらに併含する請求項１４記載の方法。
【請求項１６】
塗料組成物のバインダー相がアミノ官能性シラン、エポキシ官能性ポリシロキサン及び定着剤を含有する請求項１〜４及び７〜９いずれかに記載の方法。
【請求項１７】
塗料組成物のバインダー相が１種若しくは複数種のエポキシ官能性ケイ素不含化合物及び１種若しくは複数種のアミノ官能性ケイ素不含化合物をさらに併含する請求項１６記載の方法。
【請求項１８】
塗料組成物のバインダー相がアミノ官能性ポリシロキサン及び定着剤並びに１種若しくは複数種のエポキシ官能性ケイ素不含化合物及び１種若しくは複数種のアミノ官能性ケイ素不含化合物を併含する請求項１，２及び５〜９いずれかに記載の方法。
【請求項１９】
塗料組成物のバインダー相がエポキシ官能性ポリシロキサン及び定着剤並びに１種若しくは複数種のエポキシ官能性ケイ素不含化合物及び１種若しくは複数種のアミノ官能性ケイ素不含化合物を併含する請求項１，２及び５〜９いずれかに記載の方法。
【請求項２０】
塗料組成物のバインダー相がアミノ官能性ポリシロキサン、定着剤及びエポキシ官能性ケイ素不含化合物を含有する請求項１，２及び７〜９いずれかに記載の方法。
【請求項２１】
塗料組成物のバインダー相がアミノ官能性ポリシロキサン、エポキシ官能性ポリシロキサン、定着剤及びエポキシ官能性ケイ素不含化合物を含有する請求項２０記載の方法。
【請求項２２】
（i）顔料及びフィラー０〜６０湿量％及び（ii）残余量のバインダー相であって、１種若しくは複数種のアミノ官能性化合物１〜９０湿量％、１種若しくは複数種のエポキシ官能性化合物１〜９０湿量％及び１種若しくは複数種の定着剤０〜２０湿量％を含有するバインダー相 [この場合、該バインダー相は、次のポリシロキサン化合物ａ）〜ｃ）から成る群から選択される少なくとも２つのタイプのポリシロキサン化合物を含有する：ａ）アミノ官能性ポリシロキサン、ｂ）エポキシ官能性ポリシロキサン（但し、該エポキシ官能性ポリシロキサンは、ポリシロキサン主鎖又は該ポリシロキサン主鎖に結合する側鎖がＯＨ基又はアルコキシ基を有するエポキシ官能性ポリシロキサンを少なくとも１種含む）及びｃ）ヒドロキシ官能性ポリシロキサン、ヒドロキシアルキル官能性ポリシロキサン及びＣ１〜４−アルコキシ官能性ポリシロキサンから成る群から選択される定着剤] を含有する塗料組成物。
【請求項２３】
（i）顔料及びフィラー０〜６０湿量％及び（ii）残余量のバインダー相であって、１種若しくは複数種のアミノ官能性化合物１〜９０湿量％、１種若しくは複数種のエポキシ官能性化合物１〜９０湿量％及び１種若しくは複数種の定着剤０〜２０湿量％を含有するバインダー相 [この場合、該バインダー相は、次のポリシロキサン化合物ａ）〜ｃ）から成る群から選択される少なくとも２つのタイプのポリシロキサン化合物を含有する：ａ）アミノ官能性ポリシロキサン、ｂ）エポキシ官能性ポリシロキサン及びｃ）ヒドロキシ官能性ポリシロキサン、ヒドロキシアルキル官能性ポリシロキサン及びＣ１〜４−アルコキシ官能性ポリシロキサンから成る群から選択される定着剤] を含有する塗料組成物（但し、該塗料組成物のバインダー相は定着剤を含有する）。
【請求項２４】
バインダー相が、ａ）アミノ官能性ポリシロキサン、ｂ）エポキシ官能性ポリシロキサン及びｃ）ヒドロキシ官能性ポリシロキサン、ヒドロキシアルキル官能性ポリシロキサン及びＣ１〜４−アルコキシ官能性ポリシロキサンから成る群から選択される定着剤を含有する請求項２３記載の塗料組成物。
【請求項２５】
i）支持体、ii）該支持体の表面上の少なくとも一部に存在するエポキシに基づく塗膜、iii）該塗膜上に存在するタイコート（この場合、該タイコートのバインダー相は、請求項１〜２１及び請求項２２〜２４のいずれかにおいて規定されるバインダー相である）及びiv）該タイコート上に存在する付着物剥離性塗膜を具有する物品。
【手続補正２】
【補正対象書類名】明細書
【補正対象項目名】００１４
【補正方法】変更
【補正の内容】
【００１４】
以下の説明から明らかなように、本発明は、少なくとも２つのタイプの官能性ポリシロキサン [ａ）、ｂ）、ｃ）] を含有するタイコート組成物の使用を伴う方法が提供される。タイコート組成物のバインダー相（binder phase）の実質的な部分はポリシロキサン型化合物であってもよく、あるいは、該組成物のバインダー相はポリシロキサン型化合物と共に、ケイ素を含有しないアミノ化合物及び／又はエポキシ化合物（特に、エポキシ塗料組成物の代表的な成分）を併含していてもよい。従って、簡単に言えば、バインダー相は、主要な非溶剤成分として、ポリシロキサンフラクション（ポリシロキサン及びシラン）及び、可能な場合には、エポキシ塗料組成物の１種若しくは複数種の構成成分のフラクションを含有する相であると考えてもよい。一部の態様においては、エポキシ塗料組成物１種若しくは複数種の構成成分のフラクションの量は、湿量％で測定する場合、かなり多くなってもよいが、全ての場合において、タイコート組成物のバインダー相は２つのタイプの官能性ポリシロキサンを含有していなければならない。この点については、以下においてさらに詳述する。
【手続補正３】
【補正対象書類名】明細書
【補正対象項目名】００９０
【補正方法】変更
【補正の内容】
【００９０】
いくつかの有利な実施態様においては、定着剤の（重量）平均分子量は５００００ダルトン（g/mol）未満又は２５０００ダルトン（g/mol）未満、例えば、５００〜５００００ダルトン（g/mol）又は１０００〜１００００ダルトン（g/mol）である。